【手続補正書】
【提出日】平成15年8月22日(2003.8.22)
【手続補正１】
【補正対象書類名】明細書
【補正対象項目名】特許請求の範囲
【補正方法】変更
【補正の内容】
【特許請求の範囲】
【請求項１】
ＣＰＵを有するディスプレイ装置において、前記ディスプレイ装置と接続されるコンピュータのインターフェイス仕様の情報を前記ＣＰＵが処理可能なインターフェイス仕様に変換し、前記ＣＰＵのインターフェイス仕様の情報を前記コンピュータが処理可能なインターフェイス仕様に変換するインターフェイス仕様変換手段を設けたことを特徴とするディスプレイ装置。
【請求項２】
ＣＰＵを有するディスプレイ装置において、前記ディスプレイ装置と接続されるコンピュータのインターフェイス仕様の情報を前記ＣＰＵが処理可能なインターフェイス仕様に変換し、前記ＣＰＵのインターフェイス仕様の情報を前記コンピュータが処理可能なインターフェイス仕様に変換するインターフェイス仕様変換手段を有し、前記インターフェイス仕様変換手段は着脱可能とし、他のインターフェイス仕様変換手段と取り替え可能であることを特徴とするディスプレイ装置。
【請求項３】
請求項１または２に記載のディスプレイ装置において、前記インターフェイス仕様変換手段の設ける位置または装着位置は前記ディスプレイ装置の前面または表示画面周辺であることを特徴とするディスプレイ装置。
【請求項４】
仕様の異なるインターフェイスの間での通信に使用されるインターフェイスアダプタであって、コンピュータのインターフェイス仕様の情報を、ディスプレイ装置の有するＣＰＵが処理可能なインターフェイス仕様に変換可能で、前記ディスプレイ装置の有するＣＰＵのインターフェイス仕様の情報を前記コンピュータが処理可能なインターフェイス仕様に変換可能とするインターフェイスアダプタ。
【請求項５】
請求項４に記載のインターフェイスアダプタにおいて、少なくとも１つのＣＰＵと、少なくとも１つのハブを有し、前記ハブには１以上のコンピュータと複数の周辺機器とが接続可能で、前記ハブは前記ＣＰＵにより制御されることを特徴とするインターフェイスアダプタ。
【請求項６】
請求項４に記載のインターフェイスアダプタにおいて、少なくとも１つのＣＰＵと、少なくとも１つのハブを有し、前記ハブは複数のコンピュータと複数の周辺機器と接続可能で、前記複数のコンピュータのうち、１つのコンピュータと前記複数の周辺機器のうち、選択された周辺機器との前記ハブを介した通信をしている間に、前記１つのコンピュータ以外のコンピュータと前記選択された周辺機器以外の周辺機器とのハブを介した通信を行う複数通りの同時通信が可能であり、前記通信は前記ＣＰＵに制御されることを特徴とするインターフェイス仕様変換手段。
【請求項７】
コンピュータとディスプレイ装置との通信におけるインターフェイス仕様変換を行うインターフェイスアダプタであって、相互のインターフェイス仕様の相互変換を可能とするＣＰＵを有し、前記ＣＰＵはコンピュータのインターフェイス仕様の情報を、ディスプレイ装置の有するＣＰＵのインターフェイス仕様に変換し、前記ディスプレイ装置の有するＣＰＵのインターフェイス仕様の情報を、前記コンピュータのインターフェイス仕様に変換する機能を有することを特徴とするインターフェイスアダプタ。
【請求項８】
請求項４または７に記載のインターフェイスアダプタは、前記ディスプレイ装置の前面または表示画面周辺に装着可能であることを特徴とするインターフェイスアダプタ。
【請求項９】
ＣＰＵを有するディスプレイ装置において、コンピュータのインターフェイス仕様の情報を前記ディスプレイ装置の有するＣＰＵが処理可能なインターフェイス仕様に変換し、前記ディスプレイ装置の有するＣＰＵのインターフェイス仕様の情報を前記コンピュータが処理可能なインターフェイス仕様に変換するインターフェイス仕様変換手段を取り付ける部分を設けたことを特徴とするディスプレイ装置。
【請求項１０】
ＣＰＵを有するディスプレイ装置において、コンピュータのインターフェイス仕様の情報を前記ＣＰＵが処理可能なインターフェイス仕様に変換し、前記ＣＰＵのインターフェイス仕様の情報を前記コンピュータが処理可能なインターフェイス仕様に変換するインターフェイス仕様変換手段であって、前記インターフェイス仕様変換手段は少なくとも１つのＣＰＵと、少なくとも１つのハブを有し、前記ハブには１以上のコンピュータと複数の周辺機器が接続可能で、前記インターフェイス仕様変換手段の有する前記ＣＰＵにより前記ハブは制御される機能を有する前記インターフェイス仕様変換手段を取り付ける部分を設けたことを特徴とするディスプレイ装置。
【請求項１１】
ＣＰＵを有するディスプレイ装置において、コンピュータのインターフェイス仕様の情報を前記ＣＰＵが処理可能なインターフェイス仕様に変換し、前記ＣＰＵのインターフェイス仕様の情報を前記コンピュータが処理可能なインターフェイス仕様に変換するインターフェイス仕様変換手段であって、前記インターフェイス仕様変換手段は少なくとも１つのＣＰＵと、少なくとも１つのハブを有し、前記ハブには１以上のコンピュータと複数の周辺機器が接続可能で、前記インターフェイス仕様変換手段の有する前記ＣＰＵにより前記ハブは制御される機能を有する前記インターフェイス仕様変換手段を設けたことを特徴とするディスプレイ装置。
【請求項１２】
ＣＰＵを有するディスプレイ装置において、コンピュータのインターフェイス仕様の情報を前記ＣＰＵが処理可能なインターフェイス仕様に変換し、前記ＣＰＵのインターフェイス仕様の情報を前記コンピュータが処理可能なインターフェイス仕様に変換するインターフェイス仕様変換手段であって、前記インターフェイス仕様変換手段は少なくとも１つのＣＰＵと、少なくとも１つのハブを有し、前記ハブは複数のコンピュータと複数の周辺機器と接続可能で、前記複数のコンピュータのうち、１つのコンピュータと前記複数の周辺機器のうち選択された周辺機器との前記ハブを介した通信をしている間に、前記１つのコンピュータ以外のコンピュータと前記選択された周辺機器以外の周辺機器とのハブを介した少なくとも１つの別の通信を行うことが可能であり、前記インターフェイス仕様変換手段の有する前記ＣＰＵにより前記通信を制御する機能を有する前記インターフェイス仕様変換手段を取り付ける部分を設けたことを特徴とするディスプレイ装置。
【請求項１３】
ＣＰＵを有するディスプレイ装置において、コンピュータのインターフェイス仕様の情報を前記ＣＰＵが処理可能なインターフェイス仕様に変換し、前記ＣＰＵのインターフェイス仕様の情報を前記コンピュータが処理可能なインターフェイス仕様に変換するインターフェイス仕様変換手段であって、前記インターフェイス仕様変換手段は少なくとも１つのＣＰＵと、少なくとも１つのハブを有し、前記ハブは複数のコンピュータと複数の周辺機器と接続可能で、前記複数のコンピュータのうち、１つのコンピュータと前記複数の周辺機器のうち、選択された周辺機器との前記ハブを介した通信をしている間に、前記１つのコンピュータ以外のコンピュータと前記選択された周辺機器以外の周辺機器とのハブを介した少なくとも１つの別の通信を行うことが可能であり、前記インターフェイス仕様変換手段の有する前記ＣＰＵにより前記通信を制御する機能を有する前記インターフェイス仕様変換手段を設けたことを特徴とするディスプレイ装置。
【請求項１４】
コンピュータとの通信手段を設けたディスプレイ装置またはコンピュータとの通信手段を設けることを可能とするディスプレイ装置において、正常動作時の前記ディスプレイ装置内部の状態を記憶したメモリエリアを有することを特徴とするディスプレイ装置。
【請求項１５】
コンピュータとの通信手段を設けたディスプレイ装置またはコンピュータとの通信手段を設けることを可能とするディスプレイ装置において、正常動作時の前記ディスプレイ装置内部の状態を記憶したメモリエリアと、前記ディスプレイ装置内部の状態を検出する手段とを有することを特徴とするディスプレイ装置。
【請求項１６】
請求項１、２、９乃至１５のいずれかに記載のディスプレイ装置は、ＣＲＴ方式の表示装置またはマトリクス形表示装置であることを特徴とするディスプレイ装置。
【請求項１７】
外部機器との通信に使用されるインターフェイス手段を、情報表示部の近傍に備えたことを特徴とするディスプレイ装置。
【請求項１８】
請求項１７に記載のディスプレイ装置であって、前記情報表示部の近傍が電源スイッチの周囲であることを特徴とするディスプレイ装置。
【請求項１９】
ＣＰＵを有するデジタル信号処理装置において、該デジタル信号処理装置が、そのインターフェイス仕様と異なるインターフェイス仕様を持つ他のデジタル信号処理装置との通信を行う際に、それらのデジタル信号処理装置におけるそれぞれのインターフェイス仕様を相互変換することが可能なインターフェイス仕様変換手段が取り付けられることを特徴とするデジタル信号処理装置。
【請求項２０】
前記インターフェイス仕様変換手段が、前記デジタル信号処理装置、または前記他のデジタル信号処理装置に対し、着脱可能に取り付けられることを特徴とする請求項１９に記載のデジタル信号処理装置。
【請求項２１】
第１及び第２のデジタル信号処理装置の相互間で、互いにインターフェイス仕様の異なる通信を行うためのインターフェイスアダプタであって、前記第１のデジタル信号処理装置におけるインターフェイス仕様の情報を、前記第２のデジタル信号処理装置におけるインターフェイス仕様の情報に変換可能で、かつ前記第２のデジタル信号処理装置におけるインターフェイス仕様の情報を、前記第１のデジタル信号処理装置におけるインターフェイス仕様の情報に変換可能な手段を備えることを特徴とするインターフェイスアダプタ。
【請求項２２】
前記インターフェイスアダプタが、前記第１または第２のデジタル信号処理装置に装着可能であることを特徴とする請求項２１に記載のインターフェイスアダプタ。
【請求項２３】
インターフェイス仕様の互いに異なる第１及び第２のデジタル信号処理装置の相互間で通信を行うデジタル通信システムにおいて、前記第１のデジタル信号処理装置におけるインターフェイス仕様の情報を、前記第２のデジタル信号処理装置におけるインターフェイス仕様の情報に変換可能で、かつ前記第２のデジタル信号処理装置におけるインターフェイス仕様の情報を、前記第１のデジタル信号処理装置におけるインターフェイス仕様の情報に変換可能とするインターフェイス仕様変換手段を有し、該インターフェイス仕様変換手段で前記第１及び第２のデジタル信号処理装置を互いに接続して構成したことを特徴とするデジタル通信システム。